(57)【要約】【課題】防水性能をある程度確保しつつ、筐体の限られたスペース内に操作キーが適切に配置された電子機器を提供する。【解決手段】電子機器１０１は、開口部１ａを有する筐体１と、開口部１ａを貫通して筐体１の内側に突出するように配置されるキー部材４と、キー部材４に対向するように配置されるスイッチ７と、筐体１の内側に配置される第１部材５と、筐体１の内面と第１部材５との間に挟まれつつ開口部１ａを取り囲むように配置される防水部材１３とを備える。第１部材５は、開口部１ａから遠ざかる側に向かって突出し、キー部材４が押されたときにスイッチ７と接触することができる凸状部５１ａを含む。【選択図】図３
2017174712.tif 000002
【特許請求の範囲】
【請求項１】
開口部を有する筐体と、
前記開口部を貫通して前記筐体の内側に突出するように配置されるキー部材と、
前記筐体の内側において前記キー部材に対向するように配置されるスイッチと、
前記筐体の内側に配置される第１部材と、
前記筐体の内面と前記第１部材との間に挟まれつつ前記開口部を取り囲むように配置される防水部材とを備え、
前記第１部材は、前記開口部から遠ざかる側に向かって突出し、前記キー部材が押されたときに前記スイッチと接触することができる凸状部を含む、電子機器。
【請求項２】
前記第１部材は、前記凸状部を含みつつ弾性材料で形成されている第１部分と、前記第１部分に一体的に連なっており、前記第１部分とは異なる材料で形成されている第２部分とを含んでおり、前記凸状部は、前記キー部材と前記スイッチとの間に位置する部分を含んでおり、前記防水部材は前記第２部分に接している、請求項１に記載の電子機器。
【請求項３】
前記凸状部は袋状であり、前記キー部材の少なくとも一部に前記凸状部が被せられている、請求項１または２に記載の電子機器。
【請求項４】
前記第２部分は平板状であり、前記凸状部は、前記凸状部の中心線が前記第２部分の面に対して斜めに交差するように設けられている、請求項３に記載の電子機器。
【請求項５】
前記第１部材は、一体成型品である、請求項１から４のいずれかに記載の電子機器。
【請求項６】
前記筐体は、主表面を有し、前記キー部材は前記主表面と平行な方向に押されることによって前記第１部材を介して前記スイッチを押すことができるように配置されている、請求項１から５のいずれかに記載の電子機器。
【請求項７】
前記筐体の内側にディスプレイが配置されており、前記主表面は、前記ディスプレイの画面に平行な面である、請求項６に記載の電子機器。
【請求項８】
前記筐体は、単一部品によって構成されている、請求項１から７のいずれかに記載の電子機器。
【発明の詳細な説明】
【技術分野】
【０００１】
本開示は、電子機器に関する。
【背景技術】
【０００２】
防水構造を有する電子機器の一例が、特開２０１４−１２０２０３号公報（特許文献１）に記載されている。
【先行技術文献】
【特許文献】
【０００３】
【特許文献１】特開２０１４−１２０２０３号公報
【発明の概要】
【発明が解決しようとする課題】
【０００４】
防水性能を有する電子機器において、筐体の限られたスペース内に操作キーを配置することが求められる場合がある。防水性能を確保しつつ操作キーを配置しようとすると、操作キーだけでなく防水のための部材も適切に配置しなければならないので、操作キーが不所望な向きに配置せざるを得なくなり、その結果、電子機器のデザインの自由度が制限されたり、操作キーが押しにくくなったりする場合があった。
【０００５】
そこで、本開示は、防水性能をある程度確保しつつ、筐体の限られたスペース内に操作キーが適切に配置された電子機器を提供することを目的とする。
【課題を解決するための手段】
【０００６】
上記目的を達成するため、本開示に基づく電子機器は、開口部を有する筐体と、上記開口部を貫通して上記筐体の内側に突出するように配置されるキー部材と、上記筐体の内側において上記キー部材に対向するように配置されるスイッチと、上記筐体の内側に配置される第１部材と、上記筐体の内面と上記第１部材との間に挟まれつつ上記開口部を取り囲むように配置される防水部材とを備える。上記第１部材は、上記開口部から遠ざかる側に向かって突出する凸状部を含みつつ弾性材料で形成されている第１部分と、上記第１部分に一体的に連なっており、上記第１部分とは異なる材料で形成されている第２部分とを含んでいる。上記凸状部は、上記キー部材と上記スイッチとの間に位置する部分を含んでいる。上記防水部材は上記第２部分に接している。
【発明の効果】
【０００７】
本開示によれば、防水性能をある程度確保しつつ、筐体の限られたスペース内に操作キーが適切に配置された電子機器を実現することができる。
【図面の簡単な説明】
【０００８】
【図１】本開示に基づく実施の形態１における電子機器の斜視図である。
【図２】本開示に基づく実施の形態１における電子機器の平面図である。
【図３】図２におけるＩＩＩ−ＩＩＩ線に関する矢視断面図である。
【図４】本開示に基づく実施の形態１における電子機器に含まれるキー部材などが筐体に対して取り付けられる様子の説明図である。
【図５】本開示に基づく実施の形態１における電子機器の主表面の面方向とキー部材の押圧方向との関係の説明図である。
【図６】本開示に基づく実施の形態２における電子機器のキー部材の近傍の拡大断面図である。
【図７】本開示に基づく実施の形態３における電子機器のキー部材の近傍の拡大断面図である。
【発明を実施するための形態】
【０００９】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するとは限らず、図示された姿勢の中での相対的な上または下を意味する場合がある。
【００１０】
（実施の形態１）
（構成）
図１〜図４を参照して、本開示に基づく実施の形態１における電子機器について説明する。図１に、本実施の形態における電子機器１０１の外観を示す。電子機器１０１は、上から見たときにはほぼ長方形となる外形を有する。電子機器１０１の主表面にはカバーガラス３が配置されていてよい。カバーガラス３は板状のガラス製部品であってよい。カバーガラス３の下にはディスプレイ９が配置されていてよい。ディスプレイ９は、たとえば液晶表示パネルであってよい。ユーザはカバーガラス３を通してディスプレイ９の表示内容を視認することができる。電子機器１０１は筐体１を備える。筐体１とカバーガラス３とが組み合わさることによって、電子機器１０１の外殻の大部分が構成されている。筐体１の一方の辺にキー部材４が配置されている。キー部材４は、ユーザが押すためのものである。ユーザはキー部材４を押すことによって電子機器１０１を操作することができる。
【００１１】
ここでは、電子機器１０１が１つのキー部材４を備えるものとして、このキー部材４の近傍に注目して説明するが、１台の電子機器１０１には複数のキー部材４が備わっていてもよい。このことは、実施の形態２以降においても同様である。
【００１２】
電子機器１０１を、平面的に見たところを図２に示す。図２では左側にキー部材４が配置されている。図２では、図１に比べて筐体１の外形の縦横比が異なっているように見えるが、電子機器１０１の筐体１の外形の縦横比はどのようなものであってよい。図２におけるＩＩＩ−ＩＩＩ線に関する矢視断面図を図３に示す。筐体１の内部には、ディスプレイ９、インナーシャーシ２、スイッチ７などが収容されている。筐体１は、開口部１ａを有する。キー部材４の一部は筐体１の外側に露出している。キー部材４近傍の部品に関する分解図を図４に示す。
【００１３】
電子機器１０１は、開口部１ａを有する筐体１と、開口部１ａを貫通して筐体１の内側に突出するように配置されるキー部材４と、筐体１の内側においてキー部材４に対向するように配置されるスイッチ７と、筐体１の内側に配置される第１部材５と、筐体１の内面と第１部材５との間に挟まれつつ開口部１ａを取り囲むように配置される防水部材１３とを備える。図４に示すように、防水部材１３は環状であってもよい。図４では、防水部材１３は長方形の環状となっているが、防水部材１３は長方形には限らず、たとえば円形その他の任意の形状の環状であってもよい。防水部材１３は、固体の状態で提供される部品であってもよいが、防水部材１３の初期状態は固体とは限らない。防水部材１３は、たとえば防水性を有する接着剤などをこのような形状に配置したものであってもよい。第１部材５は、キー部材４が押されたときにスイッチ７と接触することができる凸状部５１ａを含む。凸状部５１ａは、開口部１ａから遠ざかる側に向かって突出する。
【００１４】
第１部材５は、第１部分５１と、第２部分５２とを含んでいてよい。第１部分５１は、弾性材料で形成されていてよい。第１部分５１は、凸状部５１ａを含んでよい。第２部分５２は、第１部分５１に一体的に連なっていてよい。第２部分５２は、第１部分５１とは異なる材料で形成されていてよい。図３に示すように、凸状部５１ａは、キー部材４とスイッチ７との間に位置する部分５１ａ１を含んでいてよい。第１部分５１と第２部分５２とは、一体的に形成されていてよい。第１部材５は、二色成形によって得られたものであってよい。防水部材１３は第２部分５２に接していてよい。
【００１５】
キー部材４は、たとえば樹脂で形成されていてもよい。図３に示した例では、キー部材４は押し子４１を含む。押し子４１は、筐体１の内側に向かって突出する。押し子４１に袋状の凸状部５１ａが被せられている。
【００１６】
図３に示すように、スイッチ７は、フレキシブル基板６の表面に配置されていてよい。フレキシブル基板６は、インナーシャーシ２の端面に配置されていてよい。スイッチ７は、押し子４１に対向している。スイッチ７はドームスイッチであってよい。ここでいうドームスイッチは、たとえばメタルドームスイッチであってもよい。キー部材４が押されて押し子４１が前進することによってスイッチ７は押される。
【００１７】
図４に示すように、キー部材４は、筐体１に対して内側から挿入されていてもよい。筐体１は、内側に斜面１５を含んでいてもよい。防水部材１３は、斜面１５に貼り付けられている。防水部材１３は、筐体１の斜面１５と第１部材５の第２部分５２とに挟まれている。防水部材１３は、両面に粘着性を有するものであってもよい。防水部材１３によって、筐体１の斜面１５と第１部材５の第２部分５２とが接合されていてよい。
【００１８】
（作用・効果）
本実施の形態では、筐体１の開口部１ａを貫通するようにキー部材４が配置されており、第１部材５および防水部材１３によって防水を図ることができる。これにより、防水性能をある程度確保しつつ、筐体の限られたスペース内に操作キーが適切に配置された電子機器を実現することができる。さらに本実施の形態で示したように、第１部分５１と第２部分５２とを含む第１部材５を用いれば、限られた部品点数で容易に防水を図ることができる。第１部材５の形状の設計を調整することにより、キー部材４の向きを変更することはでき、デザインの自由度を高めることができる。
【００１９】
本実施の形態では、第１部材５の第１部分５１が弾性材料で形成されているので、キー部材４が押されて変位する際には、第１部分５１はキー部材４に追従して容易に変形することができる。第１部材５の第１部分５１の一部である凸状部５１ａは、キー部材４とスイッチ７との間に位置する部分５１ａ１を含んでいるので、キー部材４は、弾性材料で形成された部分５１ａ１を介してスイッチに当接することとなる。したがって、スイッチへの押圧が多数回繰り返されたとしても、キー部材４およびスイッチ７の摩耗、疲労、損傷などの度合いを軽減することができる。
【００２０】
第１部材５は、第１部分５１および第２部分５２という２種類の材料からなる部分を組み合わせて一体的にしたものであるので、キー部材４に追従する柔軟性は第１部分５１に担わせ、防水部材１３との良好な接合のための親和性は第２部分５２に担わせることができる。所望の程度に弾性を有する材料の種類の中に、防水部材１３との接合に適した材料が見出せない場合であっても、このように２種類の材料を組み合わせた第１部材５を用いることによって、キー部材４の周辺の防水に対応することができる。
【００２１】
図３に示したように、凸状部５１ａは袋状であり、キー部材４の少なくとも一部に凸状部５１ａが被せられていてもよい。この構成により、キー部材４の少なくとも一部を確実に第１部分５１によって包み込むことができ、防水を図ることができる。この構成により、たとえばキー部材４の押し子４１が長い場合であっても容易に対応することができる。
【００２２】
図３に示したように、第２部分５２は平板状であり、凸状部５１ａは、凸状部５１ａの中心線２０が第２部分５２の面に対して斜めに交差するように設けられていてもよい。この構成により、キー部材４の押し子４１の進行方向が第２部分５２の面に対して斜めであるような構造にも対応することが可能となる。筐体１の内側の限られたスペースにおいても斜面１５を設けてここに第２部分５２を貼り付けることによって、キー部材４の押し子４１の進行方向を所望の方向とすることができる。図３に示した斜面１５は、あくまで一例であり、第２部分５２を貼り付ける斜面の大きさ、角度、形状はここに示したものに限らない。
【００２３】
本実施の形態で示したように、第１部材５は、一体成型品であってよい。この構成を採用することにより、部品点数の増加を抑えることができる。第１部材５が一体成型品であることにより、第１部分５１と第２部分５２との界面において水が漏れる事態をなるべく避けることができる。
【００２４】
図５に示すように、筐体１は、主表面１ｆを有し、キー部材４は主表面１ｆと平行な方向に押されることによって第１部材５を介してスイッチ７を押すことができるように配置されていてもよい。この構成を採用することにより、ユーザがこのキー部材４を含む押しボタンを以て電子機器を操作しようとするときには、キー部材４を、筐体１の主表面１ｆに平行な方向に押すだけでよいので、ユーザにとって操作しやすい電子機器とすることができる。
【００２５】
図５に示すように、筐体１の内側にディスプレイ９が配置されており、主表面１ｆは、ディスプレイ９の画面に平行な面であってよい。この構成を採用することにより、ユーザはディスプレイ９に表示された内容を見ながらディスプレイ９に対して側方から押し込むようにキー部材４を押せばよいので、ユーザにとって操作しやすい電子機器とすることができる。
【００２６】
図５に示すように、筐体１は、単一部品によって構成されていてよい。筐体が単一部材によって構成されていれば、電子機器全体の部品点数を少なくすることができる。筐体が単一部材によって構成されている場合においても、本実施の形態で説明したような構成を採用することにより、防水性能をある程度確保しつつ、筐体の限られたスペース内に操作キーが適切に配置された電子機器を実現することができる。
【００２７】
（実施の形態２）
（構成）
図６を参照して、本開示に基づく実施の形態２における電子機器について説明する。本実施の形態における電子機器１０２のキー部材４の近傍の拡大断面図を図６に示す。電子機器１０２は、実施の形態１で説明した電子機器１０１に比べれば、基本的な構成は共通するが、以下の点で異なる。
【００２８】
電子機器１０２は、第１部材５ｉを備える。第１部材５ｉは、第１部分５１と第２部分５２とを含む。第１部分５１は、凸状部５１ａを含む。第１部材５ｉにおいては、凸状部５１ａの中心線２０は第２部分５２に対して垂直となっている。
【００２９】
（作用・効果）
本実施の形態においては、第１部材５ｉおよび防水部材１３によって防水を図ることができる。本実施の形態においても、実施の形態１と同様の効果を得ることができる。本実施の形態によれば、キー部材４の押し子４１の進行方向が第１部材５ｉの第２部分５２に対して垂直となる場合に、適切に対応することができる。
【００３０】
（実施の形態３）
（構成）
図７を参照して、本開示に基づく実施の形態３における電子機器について説明する。本実施の形態における電子機器１０３のキー部材４の近傍の拡大断面図を図７に示す。電子機器１０３は、実施の形態２で説明した電子機器１０２に比べれば、基本的な構成は共通するが、以下の点で異なる。
【００３１】
電子機器１０３は、第１部材５ｊを備える。第１部材５ｊは、第１部分５１と第２部分５２とを含む。第１部分５１は、凸状部５１ａを含む。第１部材５ｊにおいては、凸状部５１ａは袋状とは呼べないかもしれないが、少なくとも凸形状である。ここで示す例では、凸状部５１ａは湾曲面となっている。
【００３２】
（作用・効果）
本実施の形態においては、第１部材５ｊおよび防水部材１３によって防水を図ることができる。本実施の形態においても、実施の形態１と同様の効果を得ることができる。キー部材４のユーザが触れる面からスイッチ７までの距離が短い場合には、本実施の形態のような構成が役に立つ場合もある。
【００３３】
なお、上記各実施の形態では、電子機器が上から見てほぼ長方形の外形を有する例を示したが、電子機器は上から見て長方形以外の任意形状の外形を有していてもよい。
【００３４】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００３５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００３６】
１  筐体、１ａ  開口部、１ｆ  主表面、２  インナーシャーシ、３  カバーガラス、４  キー部材、５  第１部材、６  フレキシブル基板、７  スイッチ、９  ディスプレイ、１３  防水部材、１５  （筐体の）斜面、２０  （凸状部の）中心線、４１  押し子、５１  第１部分、５１ａ  凸状部、５１ａ１  （キー部材とスイッチとの間に位置する）部分、５１ｂ  平坦部、５２  第２部分、９０  （押下の向きを表す）矢印、９１，９２，９３  矢印、１０１，１０２，１０３  電子機器。
【図１】
2017174712.tif 000003
【図２】
2017174712.tif 000004
【図３】
2017174712.tif 000005
【図４】
2017174712.tif 000006
【図５】
2017174712.tif 000007
【図６】
2017174712.tif 000008
【図７】
2017174712.tif 000009
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
開口部を有する筐体と、
前記開口部を貫通して前記筐体の内側に突出するように配置されるキー部材と、
前記筐体の内側において前記キー部材に対向するように配置されるスイッチと、
前記筐体の内側に配置される第１部材と、
前記筐体の内面と前記第１部材との間に挟まれつつ前記開口部を取り囲むように配置される防水部材とを備え、
前記第１部材は、前記開口部から遠ざかる側に向かって突出し、前記キー部材が押されたときに前記スイッチと接触することができる凸状部を含み、
前記第１部材は、前記凸状部を含みつつ弾性材料で形成されている第１部分と、前記第１部分に一体的に連なっており、前記第１部分とは異なる材料で形成されている第２部分とを含んでおり、前記凸状部は、前記キー部材と前記スイッチとの間に位置する部分を含んでおり、前記防水部材は前記第２部分に接している、電子機器。
【請求項２】
前記凸状部は袋状であり、前記キー部材の少なくとも一部に前記凸状部が被せられている、請求項１に記載の電子機器。
【請求項３】
前記第２部分は平板状であり、前記凸状部は、前記凸状部の中心線が前記第２部分の面に対して斜めに交差するように設けられている、請求項２に記載の電子機器。
【請求項４】
前記第１部材は、一体成型品である、請求項１から３のいずれかに記載の電子機器。
【請求項５】
前記筐体は、主表面を有し、前記キー部材は前記主表面と平行な方向に押されることによって前記第１部材を介して前記スイッチを押すことができるように配置されている、請求項１から４のいずれかに記載の電子機器。
【請求項６】
前記筐体の内側にディスプレイが配置されており、前記主表面は、前記ディスプレイの画面に平行な面である、請求項５に記載の電子機器。
【請求項７】
前記筐体は、単一部品によって構成されている、請求項１から６のいずれかに記載の電子機器。